(57)【要約】【課題】利用者の購買意欲を増大させることができる、情報表示システムおよび情報表示装置を提供する。【解決手段】情報表示システムは、管理装置と、管理装置とインターネットを介して通信可能なデジタルサイネージとを備える。デジタルサイネージの前に、利用者が立つ。デジタルサイネージの撮像カメラが利用者を撮像する。次に、管理装置の装着物情報データベースが記録した装着物情報を、管理装置は、デジタルサイネージへ送信する。デジタルサイネージは、利用者撮像画像と、受信した装着物情報である装着物画像とを合成する。デジタルサイネージは、第１の合成画像２４Ａ、第２の合成画像２４Ｂ、第３の合成画像２４Ｃおよび第４の合成画像２４Ｄを表示画面２４に一覧表示する。【選択図】図２Ｂ
2015090612.tif 000002
【特許請求の範囲】
【請求項１】
装着物に関する情報である装着物情報を記録可能な装着物情報記録部と、該装着物情報記録部が記録した装着物情報を送信可能な装着物情報送信部と、撮像して得られた被撮像物の撮像情報である被撮像物撮像情報の少なくとも一部から被撮像物の属性情報を抽出可能な属性情報抽出部と、前記被撮像物撮像情報と前記装着物情報とが合成されて得られた、かつ、表示されて選択決定された合成物情報のうち装着物に関する情報である選択決定装着物情報を受信可能な選択決定装着物情報受信部と、該選択決定装着物情報受信部が受信した前記選択決定装着物情報と前記属性情報抽出部が抽出した属性情報とを対応させて履歴情報として記録可能な履歴情報記録部と、前記被撮像物撮像情報と前記履歴情報記録部が記録した前記履歴情報とに基づいて、同被撮像物撮像情報の被撮像物が属する属性情報を特定可能であり、かつ、特定された属性情報に対応する選択決定装着物情報である属性対応装着物情報を送信可能な属性対応装着物情報送信部とを有する管理装置と、
前記装着物情報を受信可能な装着物情報受信部と、前記被撮像物撮像情報と前記装着物情報受信部が受信した前記装着物情報とを合成可能な合成部と、前記合成部が合成して得られた合成物情報を表示可能な表示部と、該表示部が表示した前記合成物情報を選択決定可能な選択決定部と、該選択決定部が選択決定した合成物情報のうち前記選択決定装着物情報を送信可能な選択決定装着物情報送信部と、前記属性対応装着物情報を受信可能な属性対応装着物情報受信部と、該属性対応装着物情報受信部が受信した前記属性対応装着物情報を告知可能な属性対応装着物情報告知部とを有する情報表示装置とを備える
情報表示システム。
【請求項２】
前記表示部は、複数の前記合成物情報を一覧表示可能であり、
前記選択決定部は、前記被撮像物撮像情報のうち被撮像物の動作情報に応じて、前記表示部が一覧表示した複数の前記合成物情報の少なくとも一つを選択決定可能である
請求項１に記載の情報表示システム。
【請求項３】
前記履歴情報記録部は、前記選択決定装着物情報と前記属性情報との同一の組み合わせに関する回数を記録可能であり、
前記属性対応装着物情報送信部は、前記履歴情報記録部が記録した前記選択決定装着物情報のうち前記回数が一番多いものを送信可能である
請求項１または請求項２に記載の情報表示システム。
【請求項４】
前記情報表示装置は、前記被撮像物撮像情報のうち被撮像物の動作情報に応じて、前記表示部が表示した情報を携帯端末へ送信可能な表示情報送信部を有する
請求項１、請求項２または請求項３に記載の情報表示システム。
【請求項５】
前記管理装置は、利用者の顔に関する情報および利用者所有の携帯端末に関する情報を含む利用者情報を記録可能な利用者情報記録部と、前記被撮像物撮像情報のうち顔に関する情報と前記利用者情報記録部が記録した利用者情報とに基づいて、撮像された利用者を特定可能であり、かつ、特定された利用者の利用者情報に含まれる携帯端末に関する情報を送信可能な利用者情報送信部とを有し、
前記情報表示装置は、携帯端末に関する情報を含む前記利用者情報を受信可能な利用者情報受信部を有し、前記表示情報送信部は、該利用者情報受信部が受信した利用者情報に含まれる携帯端末に関する情報に基づいて前記表示部が表示した情報を同携帯端末へ送信可能である
請求項４に記載の情報表示システム。
【請求項６】
前記表示部は、前記被撮像物撮像情報のうち被撮像物の動作情報に応じて、表示画面を切り替え可能である
請求項１、請求項２、請求項３、請求項４または請求項５に記載の情報表示システム。
【請求項７】
前記装着物情報送信部は、前記履歴情報に基づいて前記装着物情報を送信可能である
請求項１、請求項２、請求項３、請求項４、請求項５または請求項６に記載の情報表示システム。
【請求項８】
装着物に関する情報である装着物情報を記録可能な装着物情報記録部と、
撮像して得られた被撮像物の撮像情報である被撮像物撮像情報と前記装着物情報記録部が記録した前記装着物情報とを合成可能な合成部と、
該合成部が合成して得られた合成物情報を送信可能な合成物情報送信部と、
前記合成物情報を受信可能な合成物情報受信部と、
該合成物情報受信部が受信した合成物情報を表示可能な表示部と、
該表示部が表示した前記合成物情報を選択決定可能な選択決定部と、
該選択決定部が選択決定した合成物情報のうち装着物に関する情報である選択決定装着物情報を送信可能な選択決定装着物情報送信部と、
前記被撮像物撮像情報の少なくとも一部から被撮像物の属性情報を抽出可能な属性情報抽出部と、
前記選択決定部が選択決定した前記合成物情報のうち装着物に関する情報である選択決定装着物情報と、前記属性情報抽出部が抽出した属性情報とを対応させて履歴情報として記録可能な履歴情報記録部と、
前記被撮像物撮像情報と前記履歴情報記録部が記録した前記履歴情報とに基づいて、同被撮像物撮像情報の被撮像物が属する属性情報を特定可能であり、かつ、特定された属性情報に対応する選択決定装着物情報である属性対応装着物情報を送信可能な属性対応装着物情報送信部と、
前記属性対応装着物情報を受信可能な属性対応装着物情報受信部と、
該属性対応装着物情報受信部が受信した前記属性対応装着物情報を告知可能な属性対応装着物情報告知部とを備える
情報表示システム。
【請求項９】
装着物に関する情報である装着物情報を記録可能な装着物情報記録部と、
撮像して得られた被撮像物の撮像情報である被撮像物撮像情報と前記装着物情報記録部が記録した前記装着物情報とを合成可能な合成部と、
該合成部が合成して得られた合成物情報を表示可能な表示部と、
該表示部が表示した前記合成物情報を選択決定可能な選択決定部と、
前記被撮像物撮像情報の少なくとも一部から被撮像物の属性情報を抽出可能な属性情報抽出部と、
前記選択決定部が選択決定した前記合成物情報のうち装着物に関する情報である選択決定装着物情報と、前記属性情報抽出部が抽出した属性情報とを対応させて履歴情報として記録可能な履歴情報記録部と、
前記被撮像物撮像情報と前記履歴情報記録部が記録した前記履歴情報とに基づいて、同被撮像物撮像情報の被撮像物が属する属性情報を特定可能であり、かつ、特定された属性情報に対応する選択決定装着物情報である属性対応装着物情報を告知可能な属性対応装着物情報告知部とを備える
情報表示装置。
【請求項１０】
前記装着物情報記録部は、着脱可能な記録媒体である
請求項９に記載の情報表示装置。
【発明の詳細な説明】
【技術分野】
【０００１】
本発明は情報表示システムおよび情報表示装置に関する。詳しくは、例えば撮像された利用者の映像に、衣服もしくは装着物の、画像、ＣＧ（コンピュータグラフィックス）もしくは映像を合成して表示する、情報表示システムおよび情報表示装置に係るものである。
【背景技術】
【０００２】
表示と通信にデジタル技術を活用して、平面ディスプレイやプロジェクタなどによって映像や情報を表示する広告媒体が存在する。すなわち、デジタルサイネージである。
【０００３】
このデジタルサイネージは、表示内容をいつでも受信可能であり、内蔵された記録部に多数の表示情報を記録することで、秒単位で表示内容を切り替えたり、動画表示を行なったりして、多様な映像広告を展開することができる。
【０００４】
そして、映像表示装置を用いて広告を表示する様々な技術が提案されている。
【０００５】
例えば特許文献１には、通行人に対して映像情報を提示する映像情報提示装置が記載されている。
特許文献１に記載の映像情報提示装置は、ディスプレイ装置と、ディスプレイ装置の表示画面を観察中の通行人を撮影する撮影装置と、ディスプレイ装置を制御する制御装置とを備える。
【０００６】
特許文献１に記載の映像情報提示装置は、通行人自身の映像がリアルタイム映像として撮影されると共に、ＣＧ映像例えば提示対象映像の作成も行なわれる。
そして、ディスプレイ装置の画面上には、リアルタイム映像とＣＧ映像とが切り替えられて表示される。
【０００７】
すなわち、図６に示すように、リアルタイム映像内の動体画像（通行人）が、その同じ位置において別の提示対象物（巨大な靴）に置き換えられる。この例では、巨大な靴が広告対象物である。
【０００８】
そのため、ディスプレイ画面上に自分自身が登場しているリアルタイム映像を認識した通行人は、必然的にこの映像に注意を向けることになる。
やがて、リアルタイム映像はＣＧ映像に切り替えられるので、通行人の注意が向いた状態で広告映像が提示され、通行人の注目度をより向上させることができる。
【先行技術文献】
【特許文献】
【０００９】
【特許文献１】特開２０１１−１７５４１８号公報
【発明の概要】
【発明が解決しようとする課題】
【００１０】
しかしながら、特許文献１に記載の映像情報提示装置では、利用者は映像を見て楽しむだけに終わってしまい、利用者を商品の購入にまで導き難いという問題があった。
【００１１】
本発明は、以上の点に鑑みて創案されたものであり、利用者の購買意欲を増大させることができる、情報表示システムおよび情報表示装置を提供することを目的とする。
【課題を解決するための手段】
【００１２】
上記の目的を達成するために、本発明の情報表示システムは、装着物に関する情報である装着物情報を記録可能な装着物情報記録部と、該装着物情報記録部が記録した装着物情報を送信可能な装着物情報送信部と、撮像して得られた被撮像物の撮像情報である被撮像物撮像情報の少なくとも一部から被撮像物の属性情報を抽出可能な属性情報抽出部と、前記被撮像物撮像情報と前記装着物情報とが合成されて得られた、かつ、表示されて選択決定された合成物情報のうち装着物に関する情報である選択決定装着物情報を受信可能な選択決定装着物情報受信部と、該選択決定装着物情報受信部が受信した前記選択決定装着物情報と前記属性情報抽出部が抽出した属性情報とを対応させて履歴情報として記録可能な履歴情報記録部と、前記被撮像物撮像情報と前記履歴情報記録部が記録した前記履歴情報とに基づいて、同被撮像物撮像情報の被撮像物が属する属性情報を特定可能であり、かつ、特定された属性情報に対応する選択決定装着物情報である属性対応装着物情報を送信可能な属性対応装着物情報送信部とを有する管理装置と、前記装着物情報を受信可能な装着物情報受信部と、前記被撮像物撮像情報と前記装着物情報受信部が受信した前記装着物情報とを合成可能な合成部と、前記合成部が合成して得られた合成物情報を表示可能な表示部と、該表示部が表示した前記合成物情報を選択決定可能な選択決定部と、該選択決定部が選択決定した合成物情報のうち前記選択決定装着物情報を送信可能な選択決定装着物情報送信部と、前記属性対応装着物情報を受信可能な属性対応装着物情報受信部と、該属性対応装着物情報受信部が受信した前記属性対応装着物情報を告知可能な属性対応装着物情報告知部とを有する情報表示装置とを備える。
【００１３】
ここで、情報表示装置が、装着物に関する情報である装着物情報を受信可能な装着物情報受信部を有することによって、情報表示装置の記録容量を気にすることなく様々な装着物情報を利用できる。
【００１４】
また、被撮像物撮像情報と装着物情報受信部が受信した装着物情報とを合成可能な合成部によって、実際に装着物がその場に存在しなくても、被撮像物が撮像されるだけで、被撮像物が様々な装着物を装着した状態のデータを生成できる。
【００１５】
また、合成部が合成して得られた合成物情報を表示可能な表示部によって、被撮像物が実際に装着物を装着しなくても、装着物を装着した場合のイメージを把握できる。
【００１６】
また、被撮像物撮像情報の少なくとも一部から被撮像物の属性情報を抽出可能な属性情報抽出部によって、被撮像物の属性情報を収集できる。
【００１７】
また、選択決定装着物情報と属性情報抽出部が抽出した属性情報とを対応させて履歴情報として記録可能な履歴情報記録部によって、どのような装着物を、どのような属性に属する被撮像物である利用者が選択したかをデータベース化できる。
【００１８】
また、属性対応装着物情報を告知可能な属性対応装着物情報告知部によって、被撮像物である利用者は、利用者自身が属する属性に同じく属する他者が選んだ装着物を知ることができる。
【００１９】
また、本発明の情報表示システムにおいて、表示部は、複数の合成物情報を一覧表示可能であり、選択決定部は、被撮像物撮像情報のうち被撮像物の動作情報に応じて、表示部が一覧表示した複数の合成物情報の少なくとも一つを選択決定可能であるものとすることができる。
【００２０】
この場合、被撮像物である利用者は、様々な合成物情報を見比べることができる。
また、被撮像物である利用者は、撮像されている位置にいながら動作を撮像されるだけで合成物情報を選択決定することができる。
【００２１】
また、本発明の情報表示システムにおいて、履歴情報記録部は、選択決定装着物情報と属性情報との同一の組み合わせに関する回数を記録可能であり、属性対応装着物情報送信部は、履歴情報記録部が記録した選択決定装着物情報のうち選択決定装着物情報と属性情報との同一の組み合わせに関する回数が一番多いものを送信可能であるものとすることができる。
【００２２】
この場合、被撮像物である利用者は、利用者自身と同じ属性の他者に人気の装着物を知ることができる。
【００２３】
また、本発明の情報表示システムにおいて、情報表示装置は、被撮像物撮像情報のうち被撮像物の動作情報に応じて、表示部が表示した情報を携帯端末へ送信可能な表示情報送信部を有するものとすることができる。
【００２４】
この場合、表示部が表示した情報を携帯端末に保存することができる。
【００２５】
また、本発明の情報表示システムにおいて、管理装置は、利用者の顔に関する情報および利用者所有の携帯端末に関する情報を含む利用者情報を記録可能な利用者情報記録部と、被撮像物撮像情報のうち顔に関する情報と利用者情報記録部が記録した利用者情報とに基づいて、撮像された利用者を特定可能であり、かつ、特定された利用者の利用者情報に含まれる携帯端末に関する情報を送信可能な利用者情報送信部とを有し、情報表示装置は、携帯端末に関する情報を含む利用者情報を受信可能な利用者情報受信部を有し、表示情報送信部は、利用者情報受信部が受信した利用者情報に含まれる携帯端末に関する情報に基づいて表示部が表示した情報を携帯端末へ送信可能であるものとすることができる。
【００２６】
この場合、利用者は、自分の顔画像と携帯端末の情報を登録しておくだけで、自動的に自分の携帯端末に、表示部が表示した情報を保存することができる。
【００２７】
また、本発明の情報表示システムにおいて、表示部は、被撮像物撮像情報のうち被撮像物の動作情報に応じて、表示画面を切り替え可能であるものとすることができる。
【００２８】
この場合、被撮像物である利用者は、撮像されている位置にいながら動作を撮像されるだけで表示画面を切り替えることができる。
【００２９】
また、本発明の情報表示システムにおいて、装着物情報送信部は、履歴情報に基づいて装着物情報を送信可能であるものとすることができる。
【００３０】
この場合、被撮像物である利用者は、合成物情報を選択しやすくなる。
【００３１】
また、上記の目的を達成するために、本発明の情報表示システムは、装着物に関する情報である装着物情報を記録可能な装着物情報記録部と、撮像して得られた被撮像物の撮像情報である被撮像物撮像情報と前記装着物情報記録部が記録した前記装着物情報とを合成可能な合成部と、該合成部が合成して得られた合成物情報を送信可能な合成物情報送信部と、前記合成物情報を受信可能な合成物情報受信部と、該合成物情報受信部が受信した合成物情報を表示可能な表示部と、該表示部が表示した前記合成物情報を選択決定可能な選択決定部と、該選択決定部が選択決定した合成物情報のうち装着物に関する情報である選択決定装着物情報を送信可能な選択決定装着物情報送信部と、前記被撮像物撮像情報の少なくとも一部から被撮像物の属性情報を抽出可能な属性情報抽出部と、前記選択決定部が選択決定した前記合成物情報のうち装着物に関する情報である選択決定装着物情報と、前記属性情報抽出部が抽出した属性情報とを対応させて履歴情報として記録可能な履歴情報記録部と、前記被撮像物撮像情報と前記履歴情報記録部が記録した前記履歴情報とに基づいて、同被撮像物撮像情報の被撮像物が属する属性情報を特定可能であり、かつ、特定された属性情報に対応する選択決定装着物情報である属性対応装着物情報を送信可能な属性対応装着物情報送信部と、前記属性対応装着物情報を受信可能な属性対応装着物情報受信部と、該属性対応装着物情報受信部が受信した前記属性対応装着物情報を告知可能な属性対応装着物情報告知部とを備える。
【００３２】
ここで、装着物に関する情報である装着物情報を記録可能な装着物情報記録部によって、装着物情報を利用できる。
【００３３】
また、撮像して得られた被撮像物の撮像情報である被撮像物撮像情報と装着物情報記録部が記録した装着物情報とを合成可能な合成部によって、実際に装着物がその場に存在しなくても、被撮像物が撮像されるだけで、被撮像物が様々な装着物を装着した状態のデータを生成できる。
【００３４】
また、合成物情報を表示可能な表示部によって、被撮像物が実際に装着物を装着しなくても、装着物を装着した場合のイメージを把握できる。
【００３５】
また、被撮像物撮像情報の少なくとも一部から被撮像物の属性情報を抽出可能な属性情報抽出部によって、被撮像物の属性情報を収集できる。
【００３６】
また、選択決定部が選択決定した合成物情報のうち装着物に関する情報である選択決定装着物情報と、属性情報抽出部が抽出した属性情報とを対応させて履歴情報として記録可能な履歴情報記録部によって、どのような装着物を、どのような属性に属する被撮像物である利用者が選択したかをデータベース化できる。
【００３７】
また、属性対応装着物情報を告知可能な属性対応装着物情報告知部によって、被撮像物である利用者は、利用者自身が属する属性に同じく属する他者が選んだ装着物を知ることができる。
【００３８】
また、上記の目的を達成するために、本発明の情報表示装置は、装着物に関する情報である装着物情報を記録可能な装着物情報記録部と、撮像して得られた被撮像物の撮像情報である被撮像物撮像情報と前記装着物情報記録部が記録した前記装着物情報とを合成可能な合成部と、該合成部が合成して得られた合成物情報を表示可能な表示部と、該表示部が表示した前記合成物情報を選択決定可能な選択決定部と、前記被撮像物撮像情報の少なくとも一部から被撮像物の属性情報を抽出可能な属性情報抽出部と、前記選択決定部が選択決定した前記合成物情報のうち装着物に関する情報である選択決定装着物情報と、前記属性情報抽出部が抽出した属性情報とを対応させて履歴情報として記録可能な履歴情報記録部と、前記被撮像物撮像情報と前記履歴情報記録部が記録した前記履歴情報とに基づいて、同被撮像物撮像情報の被撮像物が属する属性情報を特定可能であり、かつ、特定された属性情報に対応する選択決定装着物情報である属性対応装着物情報を告知可能な属性対応装着物情報告知部とを備える。
【００３９】
ここで、装着物に関する情報である装着物情報を記録可能な装着物情報記録部によって、ネットワーク通信を使用できない環境においても、装着物情報を利用することができる。
【００４０】
また、撮像して得られた被撮像物の撮像情報である被撮像物撮像情報と装着物情報記録部が記録した装着物情報とを合成可能な合成部によって、実際に装着物がその場に存在しなくても、被撮像物が撮像されるだけで、様々な装着物を被撮像物が装着した状態のデータを生成できる。
【００４１】
また、合成部が合成して得られた合成物情報を表示可能な表示部によって、被撮像物が実際に装着物を装着しなくても、装着物を装着した場合のイメージを把握できる。
【００４２】
また、被撮像物撮像情報の少なくとも一部から被撮像物の属性情報を抽出可能な属性情報抽出部によって、被撮像物の属性情報を収集できる。
【００４３】
また、選択決定部が選択決定した合成物情報のうち装着物に関する情報である選択決定装着物情報と、属性情報抽出部が抽出した属性情報とを対応させて履歴情報として記録可能な履歴情報記録部によって、どのような装着物を、どのような属性に属する被撮像物である利用者が選択したかをデータベース化できる。
【００４４】
また、属性対応装着物情報を告知可能な属性対応装着物情報告知部によって、被撮像物である利用者は、利用者自身が属する属性に同じく属する他者が選んだ装着物を知ることができる。
【００４５】
また、本発明の情報表示装置において、装着物情報記録部が、着脱可能な記録媒体である場合、情報表示装置がネットワーク通信できない環境に設置されていても、装着物情報を更新できる。
【発明の効果】
【００４６】
本発明に係る情報表示システムは、利用者の購買意欲を増大させることができる。
本発明に係る情報表示装置は、利用者の購買意欲を増大させることができる。
【図面の簡単な説明】
【００４７】
【図１】本発明を適用した情報表示システムの構成の一例を示す概略図である。
【図２Ａ】本発明を適用した情報表示システムを構成する情報表示装置を利用するときの様子の一例を示す概略図である。
【図２Ｂ】本発明を適用した情報表示システムを構成する情報表示装置が合成物情報を一覧表示したときの表示画面の一例を示す概略図である。
【図３】本発明を適用した情報表示システムを構成する情報表示装置が、おすすめ情報を表示したときの表示画面の一例を示す概略図である。
【図４Ａ】本発明を適用した情報表示システムを構成する情報表示装置が表示した選択決定フレームを動かす前の様子の一例を示す概略図である。
【図４Ｂ】本発明を適用した情報表示システムを構成する情報表示装置が表示した選択決定フレームを動かした後の様子の一例を示す概略図である。
【図５】本発明を適用した情報表示システムを構成する情報表示装置が表示した表示画面をスマートフォンへ送信した様子の一例を示す概略図である。
【図６】従来の映像情報提示装置が提示するＣＧ映像を示す概略図である。
【発明を実施するための形態】
【００４８】
以下、本発明の実施の形態について図面を参照しながら説明し、本発明の理解に供する。
図１は、本発明を適用した情報表示システムの構成の一例を示す概略図である。
【００４９】
図１に示す本発明の情報表示システム１は、管理装置２と、管理装置２とインターネット２３を介して通信可能なデジタルサイネージ３とを備える。
ここで、デジタルサイネージ３は、街頭、駅、空港、ホテル、ショッピングモール、映画館などに設置される。また、デジタルサイネージ３は情報表示装置の一例である。
【００５０】
また、管理装置２は、装着物に関する情報である装着物情報を記録可能な装着物情報データベース４を有する。ここで、装着物情報データベース４は装着物情報記録部の一例である。
【００５１】
また、本発明で言う「装着物」とは、具体的には例えば、人や、動物や、スマートフォンなどの製品に装着される物である。さらに具体的には例えば、衣服、帽子、ネックレス、イヤリング、靴、メガネ、時計、マフラー、手袋、スマートフォン用カバー、自動車用エアロパーツである。
従って、本発明で言う「被撮像物」とは、具体的には例えば、人や、動物や、スマートフォンなどの製品である。
【００５２】
また、装着物情報データベース４は、例えば装着物の画像、装着物の商品名、装着物の価格、装着物を販売している店舗情報を記録している。
【００５３】
また、管理装置２は、装着物情報データベース４が記録した装着物情報を、インターネット２３を介して送信可能な装着物情報送信部５を有する。
【００５４】
また、管理装置２は、利用者の顔に関する情報および利用者所有の携帯端末に関する情報を含む利用者情報を記録可能な利用者情報データベース１１を有する。ここで、利用者情報データベース１１は、利用者情報記録部の一例である。
【００５５】
また、管理装置２は、利用者撮像情報のうち顔に関する情報と利用者情報データベース１１が記録した利用者情報とに基づいて、撮像された利用者を特定可能であり、かつ、特定された利用者の利用者情報に含まれる携帯端末に関する情報を送信可能な利用者情報送信部１２を有する。
【００５６】
一方、デジタルサイネージ３は、装着物情報を、インターネット２３を介して受信可能な装着物情報受信部１４を有する。
【００５７】
また、管理装置２は、撮像して得られた利用者の撮像情報である利用者撮像情報を受信可能な利用者撮像情報受信部６を有する。ここで、利用者は被撮像物の一例である。
【００５８】
一方、デジタルサイネージ３は、利用者を撮像可能な撮像カメラ１３と、利用者撮像情報を送信可能な利用者撮像情報送信部１６を有する。
また、「利用者撮像情報」は、利用者の動画像および静止画像の両方を含むものとする。
【００５９】
また、デジタルサイネージ３は、利用者撮像情報と装着物情報受信部１４が受信した装着物情報とを合成可能な合成部１５を有する。
【００６０】
例えば、装着物情報が上着の画像であれば、利用者撮像情報に含まれる利用者の上半身部分に、上着の画像を合成できる。
また例えば、装着物情報がズボンの画像であれば、利用者撮像情報に含まれる利用者の下半身部分に、ズボンの画像を合成できる。
すなわち、本発明は「仮想試着」を行なうのである。
【００６１】
また、デジタルサイネージ３は、合成部１５が合成して得られた合成物情報を表示可能な表示部１７を有する。
また、表示部１７は、複数の合成物情報を一覧表示することができる。
【００６２】
また、デジタルサイネージ３は、表示部１７が表示した合成物情報を選択決定可能な選択決定部１８を有する。
【００６３】
また、選択決定部１８は、利用者撮像情報のうち利用者の動作情報に応じて、表示部１７が一覧表示した複数の合成物情報の少なくとも一つを選択決定可能である。
【００６４】
すなわち、例えば、利用者が手を上下左右に振ると、撮像カメラ１３がその利用者の姿を撮像するので、撮像して得られた利用者撮像情報のうち手の上下左右の動きに応じて、合成物情報を囲むフレームが動く。
そして、利用者が例えば手を表示部１７に近づけると、撮像カメラ１３がその利用者の姿を撮像して得られた利用者撮像情報のうち、手が表示部１７に近づく動きに応じて、選択決定部１８は、フレームに囲まれた合成物情報を選択決定する。
【００６５】
また、デジタルサイネージ３は、利用者撮像情報に基づいて、選択決定部１８が選択決定した合成物情報を利用者が見ている時間を計測可能な時間計測部を有することもできる。
この場合、時間計測部が計測して得られた時間情報は、管理装置２へ送信されて履歴情報データベース９に記録される。
【００６６】
また、表示部１７は、利用者撮像情報のうち利用者の動作情報に応じて、表示画面を切り替え可能である。
例えば利用者は、手を左右に振って、表示画面を切り替えることができる。
【００６７】
また、デジタルサイネージ３は、選択決定部１８が選択決定した合成物情報のうち装着物に関する情報である選択決定装着物情報を送信可能な選択決定装着物情報送信部１９を有する。
【００６８】
例えば、ダウンジャケットの画像を合成して得られた合成物情報Ａとビジネスマンコートの画像を合成して得られた合成物情報Ｂのうち、合成物情報Ａが選択決定された場合、選択決定装着物情報は、「ダウンジャケット」という装着物の名称もしくは「ダウンジャケットの画像」となる。
【００６９】
一方、管理装置２は、選択決定装着物情報を受信可能な選択決定装着物情報受信部８を有する。
【００７０】
また、管理装置２は、利用者撮像情報受信部６が受信した利用者撮像情報の少なくとも一部、例えば顔の情報から利用者の属性情報を抽出可能な属性情報抽出部７を有する。
ここで、「属性情報」とは、例えば性別と、年代と、外見から推測される年齢である。
また、顔の情報から利用者の属性情報を抽出するために、管理装置２は、顔情報データベース２２Ｃを有している。
【００７１】
また、管理装置２は、選択決定装着物情報受信部８が受信した選択決定装着物情報と属性情報抽出部７が抽出した属性情報とを対応させて履歴情報として記録可能な履歴情報データベース９を有する。ここで、履歴情報データベース９は履歴情報記録部の一例である。
【００７２】
また、履歴情報データベース９は、選択決定装着物情報と属性情報との同一の組み合わせに関する回数を記録可能である。
すなわち、例えば、履歴情報データベース９が、選択決定装着物情報「ダウンジャケット」‐属性情報「２０代、男性」という組み合わせの回数「２０回」を記録する。
【００７３】
また、装着物情報送信部５は、履歴情報に基づいて装着物情報を送信可能である。
【００７４】
また、管理装置２は、利用者撮像情報と履歴情報データベース９が記録した履歴情報とに基づいて、利用者撮像情報の利用者が属する属性情報を特定可能であり、かつ、特定された属性情報に対応する選択決定装着物情報である属性対応装着物情報を、インターネット２３を介して送信可能な属性対応装着物情報送信部１９を有する。
【００７５】
また、属性対応装着物情報送信部１９は、履歴情報データベース９が記録した選択決定装着物情報のうち選択決定装着物情報と属性情報との同一の組み合わせに関する回数が一番多いものを送信可能である。
【００７６】
例えば、履歴情報データベース９が、選択決定装着物情報「ダウンジャケット」‐属性情報「２０代、男性」という組み合わせの回数「２０回」を記録し、選択決定装着物情報「ダッフルコート」‐属性情報「２０代、男性」という組み合わせの回数「８回」を記録し、選択決定装着物情報「ビジネスマンコート」‐属性情報「２０代、男性」という組み合わせの回数「１７回」を記録し、さらに、選択決定装着物情報「革製のジャンパー」‐属性情報「２０代、男性」という組み合わせの回数「１０回」を記録しているとする。
【００７７】
そして、属性対応装着物情報送信部１９が、撮像された利用者の属する属性情報を「２０代、男性」であると特定すると、属性対応装着物情報送信部１９は、履歴情報データベース９が記録した選択決定装着物情報のうち選択決定装着物情報と属性情報との同一の組み合わせに関する回数が一番多い「ダウンジャケット」の画像を送信可能である。
また、このとき、画像を説明する文字情報も一緒に送信することもできる。
【００７８】
一方、デジタルサイネージ３は、属性対応装着物情報例えば「ダウンジャケット」の画像を、インターネット２３を介して受信可能な属性対応装着物情報受信部２０を有する。
また、デジタルサイネージ３は、属性対応装着物情報受信部２０が受信した属性対応装着物情報を告知可能な属性対応装着物情報告知部２１を有する。
【００７９】
また、デジタルサイネージ３は、利用者撮像情報のうち利用者の動作情報に応じて、表示部１７が表示した情報を携帯端末へ送信可能な表示情報送信部２２を有する。
【００８０】
すなわち、例えば、利用者が手を上下左右に振ると、撮像カメラ１３がその利用者の姿を撮像するので、撮像して得られた利用者撮像情報のうち手の上下左右の動きに応じて、カーソルが動く。
【００８１】
そして、デジタルサイネージ３の表示部１７が表示した例えば「送信」というボタンにカーソルを移動させ、利用者が例えば手を表示部１７に近づけると、撮像カメラ１３がその利用者の姿を撮像して得られた利用者撮像情報のうち手が表示部１７に近づく動きに応じて、表示部が表示した情報を、表示情報送信部２２が利用者の携帯端末に直接送信する。
【００８２】
また、デジタルサイネージ３は、携帯端末に関する情報を含む利用者情報を受信可能な利用者情報受信部２２Ａを有する。
【００８３】
例えば、利用者情報データベース１１がすでに、利用者の顔情報と携帯端末に関する情報を記録していれば、表示情報送信部２２は、利用者情報受信部２２Ａが受信した利用者情報に含まれる携帯端末に関する情報に基づいて、表示部１７が表示した情報を、この利用者の携帯端末へ送信可能である。
【００８４】
また、デジタルサイネージ３は、装着物情報を記録可能な装着物情報記録部である記録媒体２２Ｂを有する。
また、記録媒体２２Ｂは着脱可能である。また、記録媒体２２Ｂは、例えば、ＤＶＤやＵＳＢである。
【００８５】
従って、仮にネットワーク通信が不具合のため利用できなくなっても、合成部１５は、記録媒体２２Ｂが記録した装着物情報を利用して合成することができる。
また、仮にネットワーク通信が不具合のため利用できなくなっても、適宜、記録媒体２２Ｂを取り出して記録媒体が記録した装着物情報を更新できる。
装着物情報を更新した後は、記録媒体２２Ｂをデジタルサイネージ３に再び取付けることで、最新の装着物情報を利用できる。
【００８６】
ここで、インターネット２３はコンピュータネットワークの一例であり、その他に、例えばローカルエリアネットワークを介して送受信を行なってもよい。
【００８７】
また、表示部は必ずしも複数の合成物情報を一覧表示しなくてもよい。例えば、表示部は、複数の合成物情報をそれぞれ一定時間ごとに表示することもできる。
しかし、表示部が複数の合成物情報を一覧表示すれば、利用者は、様々な合成物情報を見比べることができるので好ましい。
【００８８】
また、選択決定部は、必ずしも被撮像物撮像情報のうち被撮像物の動作情報に応じて、表示部が一覧表示した複数の合成物情報の少なくとも一つを選択決定可能でなくてもよい。
【００８９】
しかし、選択決定部が、被撮像物撮像情報のうち被撮像物の動作情報に応じて、表示部が一覧表示した複数の合成物情報の少なくとも一つを選択決定可能であれば、被撮像物である利用者は、撮像されている位置にいながら動作を撮像されるだけで合成物情報を選択決定することができるので好ましい。
【００９０】
また、履歴情報記録部は必ずしも、選択決定装着物情報と属性情報との同一の組み合わせに関する回数を記録可能でなくてもよく、さらに属性対応装着物情報送信部は必ずしも、履歴情報記録部が記録した選択決定装着物情報のうち、この回数が一番多いものを送信可能でなくてもよい。
【００９１】
しかし、履歴情報記録部が、選択決定装着物情報と属性情報との同一の組み合わせに関する回数を記録可能であり、属性対応装着物情報送信部が、履歴情報記録部が記録した選択決定装着物情報のうち選択決定装着物情報と属性情報との同一の組み合わせに関する回数が一番多いものを送信可能であれば、被撮像物である利用者は、利用者自身と同じ属性の他者に人気の装着物を知ることができるので好ましい。
【００９２】
また、情報表示装置は必ずしも、被撮像物撮像情報のうち被撮像物の動作情報に応じて、表示部が表示した情報を携帯端末へ送信可能な表示情報送信部を有していなくてもよい。
【００９３】
しかし、情報表示装置がこのような表示情報送信部を有していれば、表示部が表示した情報を携帯端末に保存することができるので好ましい。
【００９４】
また、管理装置は必ずしも、利用者の顔に関する情報および利用者所有の携帯端末に関する情報を含む利用者情報を記録可能な利用者情報記録部を有していなくてもよい。
また、管理装置は必ずしも、利用者撮像情報のうち顔に関する情報と利用者情報記録部が記録した利用者情報とに基づいて、撮像された利用者を特定可能であり、かつ、特定された利用者の利用者情報に含まれる携帯端末に関する情報を送信可能な利用者情報送信部を有していなくてもよい。
【００９５】
また、情報表示装置は必ずしも、携帯端末に関する情報を含む利用者情報を受信可能な利用者情報受信部を有していなくてもよく、表示情報送信部は必ずしも、利用者情報受信部が受信した利用者情報に含まれる携帯端末に関する情報に基づいて表示部が表示した情報を携帯端末へ送信可能でなくてもよい。
【００９６】
しかし、管理装置が、このような利用者情報記録部や利用者情報送信部を有しており、さらに情報表示装置が、このような利用者情報受信部を有しており、表示情報送信部が、利用者情報受信部が受信した利用者情報に含まれる携帯端末に関する情報に基づいて表示部が表示した情報を携帯端末へ送信可能であれば、利用者は、自分の顔画像と携帯端末の情報を登録しておくだけで、自動的に自分の携帯端末に、表示部が表示した情報を保存することができるので好ましい。
【００９７】
また、表示部は必ずしも、被撮像物撮像情報のうち被撮像物の動作情報に応じて、表示画面を切り替え可能でなくてもよい。
しかし、表示部が、被撮像物撮像情報のうち被撮像物の動作情報に応じて、表示画面を切り替え可能であれば、被撮像物である利用者は、撮像されている位置にいながら動作を撮像されるだけで表示画面を切り替えることができるので好ましい。
【００９８】
また、装着物情報送信部は必ずしも、履歴情報に基づいて装着物情報を送信可能でなくてもよい。
しかし、装着物情報送信部が、履歴情報に基づいて装着物情報を送信可能であれば、被撮像物である利用者は、自分の属性と同じ属性の他者が選んだ装着物情報が合成されているので、合成物情報を選択しやすくなり、好ましい。
【００９９】
また、必ずしも情報表示装置が合成部を有していなくてもよい。
例えば、情報表示装置が家庭用のパーソナルコンピュータ（ＰＣ）や家庭用のテレビジョン受信機であれば、管理装置が合成部を有することもできる。
【０１００】
また、必ずしも情報表示装置が撮像カメラのような撮像部を有していなくてもよく、本発明の情報表示システムは、情報表示装置とは別体の撮像装置を備えることもできる。
【０１０１】
また、ネットワーク通信を使用できない環境下において仮想試着を行なうことも想定して、管理装置が備える機能もすべて情報表示装置が備えるようにすることができる。
【０１０２】
すなわち、本発明の情報表示装置は、装着物に関する情報である装着物情報を記録可能な装着物情報記録部と、撮像して得られた被撮像物の撮像情報である被撮像物撮像情報と装着物情報記録部が記録した装着物情報とを合成可能な合成部と、合成部が合成して得られた合成物情報を表示可能な表示部と、表示部が表示した合成物情報を選択決定可能な選択決定部と、被撮像物撮像情報の少なくとも一部から被撮像物の属性情報を抽出可能な属性情報抽出部と、選択決定部が選択決定した合成物情報のうち装着物に関する情報である選択決定装着物情報と、属性情報抽出部が抽出した属性情報とを対応させて履歴情報として記録可能な履歴情報記録部と、被撮像物撮像情報と履歴情報記録部が記録した履歴情報とに基づいて、被撮像物撮像情報の被撮像物が属する属性情報を特定可能であり、かつ、特定された属性情報に対応する選択決定装着物情報である属性対応装着物情報を告知可能な属性対応装着物情報告知部とを備える。
【０１０３】
また、この場合、装着物情報記録部は着脱可能なＤＶＤやＵＳＢなどの記録媒体である。
従って、本発明の情報表示装置がネットワーク通信を使用できない環境に設置されていても、適宜、記録媒体を取り出して記録媒体が記録した装着物情報を更新できる。
装着物情報を更新した後は、記録媒体を情報表示装置に再び取付けることで、最新の装着物情報を利用できる。
【０１０４】
次に、図を参照しながら、利用者が本発明の情報表示システムを利用したときの流れを説明する。
【０１０５】
図２Ａは、本発明を適用した情報表示システムを構成する情報表示装置を利用するときの様子の一例を示す概略図である。
また、図２Ｂは、本発明を適用した情報表示システムを構成する情報表示装置が合成物情報を一覧表示したときの表示画面の一例を示す概略図である。
【０１０６】
また、図３は、本発明を適用した情報表示システムを構成する情報表示装置が、おすすめ情報を表示したときの表示画面の一例を示す概略図である。
また、図４Ａは、本発明を適用した情報表示システムを構成する情報表示装置が表示した選択決定フレームを動かす前の様子の一例を示す概略図である。
また、図４Ｂは、本発明を適用した情報表示システムを構成する情報表示装置が表示した選択決定フレームを動かした後の様子の一例を示す概略図である。
また、図５は、本発明を適用した情報表示システムを構成する情報表示装置が表示した表示画面をスマートフォンへ送信した様子の一例を示す概略図である。
【０１０７】
例えば図２Ａに示すように、ショッピングモールに設置されたデジタルサイネージ３の前に、利用者が立つ。
すると、デジタルサイネージ３の撮像カメラ１３が利用者を撮像する。
【０１０８】
次に、管理装置２の装着物情報データベース４が記録した装着物情報を、管理装置２は、インターネット２３を介してデジタルサイネージ３へ送信する。
【０１０９】
装着物情報を受信したデジタルサイネージ３は、撮像カメラ１３が利用者を撮像して得られた利用者撮像情報である利用者撮像画像と、受信した装着物情報である装着物画像とを合成する。
【０１１０】
そして、デジタルサイネージ３は、図２Ｂに示すように、第１の合成画像２４Ａ、第２の合成画像２４Ｂ、第３の合成画像２４Ｃおよび第４の合成画像２４Ｄを表示画面２４に一覧表示する。
【０１１１】
ここで、第１の合成画像２４Ａ〜第４の合成画像２４Ｄは合成物情報の一例である。
また、第１の合成画像２４Ａ〜第４の合成画像２４Ｄは動画でも静止画でもどちらでもよい。
【０１１２】
ここで、第１の合成画像２４Ａは、利用者撮像画像とダウンジャケットの画像とを合成して得られた画像である。
また、第２の合成画像２４Ｂは、利用者撮像画像とダッフルコートの画像とを合成して得られた画像である。
また、第３の合成画像２４Ｃは、利用者撮像画像とビジネスマンコートの画像とを合成して得られた画像である。
また、第４の合成画像２４Ｄは、利用者撮像画像と革製のジャンパーの画像とを合成して得られた画像である。
【０１１３】
また、図２Ｂに示す例では、第２の合成画像２４Ｂが選択決定フレーム２５で囲まれている。選択決定フレーム２５は、撮像された利用者の例えば手の動きに応じて動き、囲んだ画像を決定できるフレームである。
【０１１４】
また、デジタルサイネージ３は、インターネット２３を介して利用者撮像画像を管理装置２へ送信する。
【０１１５】
また、管理装置２の履歴情報データベース９は、履歴情報として例えば、選択決定装着物情報「ダウンジャケット」‐属性情報「２０代、男性」という組み合わせの回数「２０回」を記録し、選択決定装着物情報「ダッフルコート」‐属性情報「２０代、男性」という組み合わせの回数「８回」を記録し、選択決定装着物情報「ビジネスマンコート」‐属性情報「２０代、男性」という組み合わせの回数「１７回」を記録し、さらに、選択決定装着物情報「革製のジャンパー」‐属性情報「２０代、男性」という組み合わせの回数「１０回」を記録している。
【０１１６】
そして、管理装置２は、利用者撮像画像と履歴情報データベース９が記録した履歴情報とに基づいて、利用者撮像画像の利用者が属する属性情報を例えば「２０代、男性」であると特定し、かつ、履歴情報データベース９が記録した選択決定装着物情報のうち選択決定装着物情報と属性情報との同一の組み合わせに関する回数が一番多い「ダウンジャケット」の画像を、「おすすめ情報」としてインターネット２３を介してデジタルサイネージ３へ送信する。
【０１１７】
また、デジタルサイネージ３は、受信した「ダウンジャケット」の画像を、図３に示すように表示画面２４に表示する。
【０１１８】
このとき、デジタルサイネージ３は、図３に示すように例えば「２０代の男性の方に人気です。」という説明文も表示する。
また、このとき、デジタルサイネージ３は、このダウンジャケットの商品名、このダウンジャケットの価格、このダウンジャケットを販売している店舗情報も表示することができる。
【０１１９】
このような「おすすめ情報」を見た利用者は、ダウンジャケットを購入しようと思い、自分の画像とダウンジャケットの画像とを合成して得られた第１の合成画像２４Ａを選択しようとする。
【０１２０】
そして、利用者は、自分の手を左方向へ動かして、図４Ａに示すように第２の合成画像２４Ｂを囲んでいる選択決定フレーム２５を、図４Ｂに示すように、左方向へ動かして第１の合成画像２４Ａを囲むようにする。
【０１２１】
さらに、利用者は、手を表示画面２４の方向へ動かし、選択決定フレーム２５に囲まれた第１の合成画像２４Ａを選択決定する。
【０１２２】
また、デジタルサイネージ３は、選択決定された第１の合成画像２４Ａのうち装着物に関する情報である選択決定装着物情報を、インターネット２３を介して管理装置２へ送信する。すなわち、ダウンジャケットに関する情報を送信する。
【０１２３】
一方、管理装置２は、選択決定したことを履歴情報として蓄積するために、受信した利用者撮像画像の顔の部分から利用者の属性情報すなわち、性別と、年代と、外見から推測される年齢を抽出しており、受信した選択決定装着物情報と、抽出した属性情報とを対応させて履歴情報として記録する。
【０１２４】
従って、管理装置２の履歴情報データベース９は、選択決定装着物情報「ダウンジャケット」‐属性情報「２０代、男性」という組み合わせの回数を「２０回」から「２１回」へと更新して記録する。
【０１２５】
また、利用者が例えば手を表示画面２４に近づける動きを行い、図５に示すように、表示画面２４に表示されている画面情報をその利用者のスマートフォン２６に直接送信する。
なお、図５では、表示画面２４に表示されている画面情報として、第２の合成画像が選択決定フレーム２５で囲まれている状態の画面情報の例を示している。
また、スマートフォン２６は、携帯端末の一例である。
【０１２６】
以上のように、本発明の情報表示システムおよび情報表示装置は、属性対応装着物情報を告知可能な属性対応装着物情報告知部によって、被撮像物である利用者は、利用者自身が属する属性に同じく属する他者が選んだ装着物を知ることができる。
【０１２７】
利用者は、自分が属する属性に同じく属する他者が選んだ装着物であることを知り、その装着物に興味を抱きやすくなり、その結果、本発明の情報表示システムおよび情報表示装置は、利用者の購買意欲を増大させることができる。
【符号の説明】
【０１２８】
１    情報表示システム
２    管理装置
３    デジタルサイネージ
４    装着物情報データベース
５    装着物情報送信部
６    利用者撮像情報受信部
７    属性情報抽出部
８    選択決定装着物情報受信部
９    履歴情報データベース
１０    属性対応装着物情報送信部
１１    利用者情報データベース
１２    利用者情報送信部
１３    撮像カメラ
１４    装着物情報受信部
１５    合成部
１６    利用者撮像情報送信部
１７    表示部
１８    選択決定部
１９    選択決定装着物情報送信部
２０    属性対応装着物情報受信部
２１    属性対応装着物情報告知部
２２    表示情報送信部
２２Ａ  利用者情報受信部
２２Ｂ  記録媒体
２２Ｃ  顔情報データベース
２３    インターネット
２４    表示画面
２４Ａ  第１の合成画像
２４Ｂ  第２の合成画像
２４Ｃ  第３の合成画像
２４Ｄ  第４の合成画像
２５    選択決定フレーム
２６    スマートフォン
【図１】
2015090612.tif 000003
【図２Ａ】
2015090612.tif 000004
【図２Ｂ】
2015090612.tif 000005
【図３】
2015090612.tif 000006
【図４Ａ】
2015090612.tif 000007
【図４Ｂ】
2015090612.tif 000008
【図５】
2015090612.tif 000009
【図６】
2015090612.tif 000010